(57)【要約】【課題】撮影禁止場所で、カメラ付き携帯電話機の撮影機能のみを使用不可とすること。【解決手段】状態として、撮影可能モード、或は、撮影禁止モードの何れかを記憶する機能を有し、カメラ付き携帯電話機のＩＣカードスロットに取り付けられたＩＣカードであって、  このＩＣカードがＩＣカードスロットに取り付けられたカメラ付き携帯電話機は、この状態が撮影可能モードの場合、撮影機能を使用可能とし、他方、この状態が撮影禁止モードの場合、撮影機能を使用不可とし、  撮影禁止場所の入口に設置されているリーダ・ライタは、この状態が撮影可能モードの場合、この状態を撮影禁止モードに書き換え、  撮影禁止場所の出口に設置されているリーダ・ライタは、この状態が撮影禁止モードの場合、この状態を撮影可能モードに書き換えることを特徴とするＩＣカード。【選択図】なし【特許請求の範囲】
【請求項１】
カメラ付き携帯電話機のＩＣカードスロットに取り付けられ、状態として、撮影可能モード、或は、撮影禁止モードの何れかを記憶する機能を有するＩＣカードであって、
このＩＣカードがＩＣカードスロットに取り付けられたカメラ付き携帯電話機は、このＩＣカードの状態を読み取り、この状態が撮影可能モードの場合、このカメラ付き携帯電話機の撮影機能を使用可能とし、他方、この状態が撮影禁止モードの場合、このカメラ付き携帯電話機の撮影機能を使用不可とし、
このＩＣカードがＩＣカードスロットに取り付けられたカメラ付き携帯電話機を所持する人が、撮影禁止場所の入口を通過すると、この入口に設置されているリーダ・ライタは、このＩＣカードの状態を読み取り、この状態が撮影可能モードの場合、この状態を撮影禁止モードに書き換え、
このＩＣカードがＩＣカードスロットに取り付けられたカメラ付き携帯電話機を所持する人が、撮影禁止場所の出口を通過すると、この出口に設置されているリーダ・ライタは、このＩＣカードの状態を読み取り、この状態が撮影禁止モードの場合、この状態を撮影可能モードに書き換えることを特徴とするＩＣカード。
【請求項２】
カメラ付き携帯電話機のＩＣカードスロットに取り付けられ、状態として、撮影可能モード、或は、撮影禁止モードの何れかを記憶する機能を有するＩＣカードの使用方法であって、
このＩＣカードがＩＣカードスロットに取り付けられたカメラ付き携帯電話機は、このＩＣカードの状態を読み取り、この状態が撮影可能モードの場合、このカメラ付き携帯電話機の撮影機能を使用可能とし、他方、この状態が撮影禁止モードの場合、このカメラ付き携帯電話機の撮影機能を使用不可とし、
このＩＣカードがＩＣカードスロットに取り付けられたカメラ付き携帯電話機を所持する人が、撮影禁止場所の入口を通過すると、この入口に設置されているリーダ・ライタは、このＩＣカードの状態を読み取り、この状態が撮影可能モードの場合、この状態を撮影禁止モードに書き換え、
このＩＣカードがＩＣカードスロットに取り付けられたカメラ付き携帯電話機を所持する人が、撮影禁止場所の出口を通過すると、この出口に設置されているリーダ・ライタは、このＩＣカードの状態を読み取り、この状態が撮影禁止モードの場合、この状態を撮影可能モードに書き換えることに使用されることを特徴とするＩＣカードの使用方法。
【発明の詳細な説明】
【技術分野】
【０００１】
本発明は、ＩＣカードをカメラ付き携帯電話機に応用する技術に関する。
【背景技術】
【０００２】
一般に、カメラ付き携帯電話機の普及と高画素化により、飛行機や映画館、美術館、コンサート会場、イベント会場での盗撮、企業の研究機関からの機密情報の漏洩、本屋でのデジタルコピーによる著作権の侵害等さまざまな問題があり、それを防ぐには、場所の管理側による規制とカメラ付き携帯電話機の所有者によるマナーに依存されている。
【０００３】
しかしながら、規制の負荷は大きく、規制を無視して撮影機能を使うことが可能であるという問題がある。
【発明の開示】
【発明が解決しようとする課題】
【０００４】
本発明は斯かる背景技術に鑑みてなされたもので、撮影禁止場所で、カメラ付き携帯電話機の撮影機能のみを使用不可とすることを課題とする。
【課題を解決するための手段】
【０００５】
本発明において上記課題を達成するために、まず請求項１の発明では、カメラ付き携帯電話機のＩＣカードスロットに取り付けられ、状態として、撮影可能モード、或は、撮影禁止モードの何れかを記憶する機能を有するＩＣカードであって、
このＩＣカードがＩＣカードスロットに取り付けられたカメラ付き携帯電話機は、このＩＣカードの状態を読み取り、この状態が撮影可能モードの場合、このカメラ付き携帯電話機の撮影機能を使用可能とし、他方、この状態が撮影禁止モードの場合、このカメラ付き携帯電話機の撮影機能を使用不可とし、
このＩＣカードがＩＣカードスロットに取り付けられたカメラ付き携帯電話機を所持する人が、撮影禁止場所の入口を通過すると、この入口に設置されているリーダ・ライタは、このＩＣカードの状態を読み取り、この状態が撮影可能モードの場合、この状態を撮影禁止モードに書き換え、
このＩＣカードがＩＣカードスロットに取り付けられたカメラ付き携帯電話機を所持する人が、撮影禁止場所の出口を通過すると、この出口に設置されているリーダ・ライタは、このＩＣカードの状態を読み取り、この状態が撮影禁止モードの場合、この状態を撮影可能モードに書き換えることを特徴とするＩＣカードとしたものである。
【０００６】
また請求項２の発明では、カメラ付き携帯電話機のＩＣカードスロットに取り付けられ、状態として、撮影可能モード、或は、撮影禁止モードの何れかを記憶する機能を有するＩＣカードの使用方法であって、
このＩＣカードがＩＣカードスロットに取り付けられたカメラ付き携帯電話機は、このＩＣカードの状態を読み取り、この状態が撮影可能モードの場合、このカメラ付き携帯電話機の撮影機能を使用可能とし、他方、この状態が撮影禁止モードの場合、このカメラ付き携帯電話機の撮影機能を使用不可とし、
このＩＣカードがＩＣカードスロットに取り付けられたカメラ付き携帯電話機を所持する人が、撮影禁止場所の入口を通過すると、この入口に設置されているリーダ・ライタは、このＩＣカードの状態を読み取り、この状態が撮影可能モードの場合、この状態を撮影禁止モードに書き換え、
このＩＣカードがＩＣカードスロットに取り付けられたカメラ付き携帯電話機を所持する人が、撮影禁止場所の出口を通過すると、この出口に設置されているリーダ・ライタは
、このＩＣカードの状態を読み取り、この状態が撮影禁止モードの場合、この状態を撮影可能モードに書き換えることに使用されることを特徴とするＩＣカードの使用方法としたものである。
【発明の効果】
【０００７】
本発明は、撮影禁止場所で、カメラ付き携帯電話機の撮影機能のみを使用不可とすることができるという効果がある。
【発明を実施するための最良の形態】
【０００８】
以下に、本発明の最良の一実施形態を説明する。
【０００９】
本実施形態では、カメラ付き携帯電話機のＩＣカードスロットにＩＣカードを取りつける。また本実施形態では、図１に示すように、撮影禁止場所の入口と出口とに、それぞれリーダ・ライタを設置する。
【００１０】
ＩＣカードは、情報を記憶する機能を有する。ＩＣカードには、状態と、ＩＣカード番号と、製造番号とを記憶しておく。状態には、撮影可能モードと、撮影禁止モードとがある。
【００１１】
カメラ付き携帯電話機は、ＩＣカードの状態を読み取り、状態が撮影可能モードの場合、撮影機能を使用可能とする。他方、カメラ付き携帯電話機は、ＩＣカードの状態を読み取り、状態が撮影禁止モードの場合、撮影機能を使用不可とする。
【００１２】
入口のリーダ・ライタは、入口を通るＩＣカードの状態を読み取り、状態が撮影可能モードの場合に、状態を撮影禁止モードに書き換える。この読み取りと書き換えとは、リーダ・ライタとＩＣカードとを接触させて行われるものであっても良いし、リーダ・ライタとＩＣカードとが非接触で行われるものであっても良い。
【００１３】
出口のリーダ・ライタは、出口を通るＩＣカードの状態を読み取り、状態が撮影不可モモードの場合に、状態を撮影可能モードに書き換える。この読み取りと書き換えとは、リーダ・ライタとＩＣカードとを接触させて行われるものであっても良いし、リーダ・ライタとＩＣカードとが非接触で行われるものであっても良い。
【００１４】
以下に、ＩＣカードを取り付けたカメラ付き携帯電話機を所持する人が、撮影禁止場所に入って出る過程で、カメラ付き携帯携帯電話機と、リーダ・ライタとが行う処理の例を、図２のフローチャートに従って、説明する。
【００１５】
Ｓ（ＳＴＥＰ）１；
撮影禁止場所の入口を通過する。
【００１６】
Ｓ（ＳＴＥＰ）２；
入口のリーダ・ライタは、ＩＣカードの状態を読み取る。
【００１７】
Ｓ（ＳＴＥＰ）３；
状態が、撮影可能モードの場合、入口のリーダ・ライタは、ＩＣカードの状態を、撮影禁止モードに書き換える。
【００１８】
Ｓ（ＳＴＥＰ）４；
カメラ付き携帯電話機は、ＩＣカードの状態を読み取り、撮影禁止モードの場合、撮影機能を使用不可とする。
【００１９】
Ｓ（ＳＴＥＰ）５；
撮影禁止場所の出口を通過する。
【００２０】
Ｓ（ＳＴＥＰ）６；
出口のリーダ・ライタは、ＩＣカードの状態を読み取る。
【００２１】
Ｓ（ＳＴＥＰ）７；
状態が、撮影禁止モードの場合、出口のリーダ・ライタは、ＩＣカードの状態を、撮影可能モードに書き換える。
【００２２】
Ｓ（ＳＴＥＰ）８；
カメラ付き携帯電話機は、ＩＣカードの状態を読み取り、撮影可能モードの場合、撮影機能を使用可能とする。
【図面の簡単な説明】
【００２３】
【図１】リーダ・ライタが入口と出口とに設置された撮影禁止場所を示す図。
【図２】ＩＣカードを取り付けたカメラ付き携帯電話機を所持する人が、撮影禁止場所に入って出る過程で、カメラ付き携帯電話機と、リーダ・ライタとが行う処理の例を示すフローチャート。
【図１】
2005311839.tif 000002
【図２】
2005311839.tif 000003